(57)【要約】【課題】  １データシンボルごとに周波数ホッピングを行うＯＦＤＭ信号を用いて通信を行う際に、他チャネルによる干渉がある場合であっても、通信が可能になる可能性を高くする。【解決手段】  ＯＦＤＭ信号で同じデータシンボルを違う周波数または同じ周波数で別の時間に２回送る通信方式における無線通信機１００において、ＣＰＵ１０１は、２回の同じデータシンボルのＯＦＤＭ信号のうち、時間的に前の部分で干渉を受けている信号と時間的に後ろの部分で干渉を受けている信号とが得られた場合、これらの信号の干渉を受けていない部分を時間的に合成し、合成した信号をＦＦＴして復調する処理を行う。【選択図】  図５
2010045438.tif 000002
【特許請求の範囲】
【請求項１】
ＯＦＤＭ信号で同じデータシンボルを違う周波数または同じ周波数で別の時間に２回送る通信方式における無線通信機であって、
前記２回の同じデータシンボルのＯＦＤＭ信号のうち、時間的に前の部分で干渉を受けている信号と時間的に後ろの部分で干渉を受けている信号とが得られた場合、これらの信号の干渉を受けていない部分を時間的に合成する合成手段と、
前記合成手段で合成された信号をＦＦＴして復調する復調手段と
を有することを特徴とする無線通信機。
【請求項２】
前記通信方式は、マルチバンドＯＦＤＭ通信におけるタイムスプレッディングであり、当該無線通信機は、マルチバンドＯＦＤＭ通信による受信機であることを特徴とする請求項１に記載の無線通信機。
【請求項３】
前記干渉における干渉源は、隣接チャネルであり、前記干渉源が１データシンボルごとに周波数ホッピングする信号であることが判別できた場合のみ、復調手段は、前記合成手段で合成された信号を用いて前記ＦＦＴを行うことを特徴とする請求項１または２に記載の無線通信機。
【発明の詳細な説明】
【技術分野】
【０００１】
本発明は、同じデータを複数回伝送する通信方式における無線通信機に関するものである。
【背景技術】
【０００２】
近年、近距離無線通信として、ブルートゥースやウルトラワイドバンド（Ｕｌｔｒａ  ＷｉｄｅＢａｎｄ；ＵＷＢ）通信が注目されてきている。特に、ＵＷＢ通信は、伝送データレートが高いため、今後普及していくと思われる。
【０００３】
このＵＷＢ通信方式の１つとして、マルチバンドＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ：直交周波数分割多重）方式がある。このマルチバンドＯＦＤＭ方式は、ＭＢＯＡ（ＭａｌｔｉＢａｎｄ  ＯＦＤＭ  Ａｌｉａｎｃｅ）によって提案された通信方式であり、ＯＦＤＭと周波数ホッピングを組み合わせた通信方式である。そして、この通信方式は、帯域内の群遅延特性に左右され難いため、超広帯域で平坦特性が求められるＵＷＢ通信において特に注目されている。
【０００４】
図１０は、ＭＢＯＡがＩＥＥＥ８０２．１５．３ａに２００４年７月に提出した提案書に示されたマルチバンドＯＦＤＭ方式のバンドプランを示す模式図である。
この提案においては、ＵＷＢで使用が検討されている３．１ＧＨｚから１０．６ＧＨｚの周波数帯を５つのバンドグループに分割し、各バンドグループ内で約５００ＭＨｚ帯域のＯＦＤＭ信号が周波数ホッピングする。
【０００５】
第１のバンドグループ１００１〜第４のバンドグループ１００４においては、３つの周波数帯で周波数ホッピングを行うことで４つのチャネルを収納する。また、第５のバンドグループ１００５のみについては、２つの周波数帯で周波数ホッピングを行うことで２つのチャネルを収納する。
【０００６】
１つのバンドグループ内では、ホッピングパターン（Ｔｉｍｅ  Ｆｒｅｑｕｅｎｃｙ  Ｃｏｄｅ；以後「ＴＦＣ」と称する）で分けることにより、複数のチャネルが収納されている。
【０００７】
図１１は、同じバンドグループ内で各々が異なるホッピングパターンのＴＦＣによって区別されているチャネル番号ＣＨ１〜ＣＨ４のチャネルを示す図である。
これにより、同じバンドグループ内で独立したピコネットを形成することが可能である。ここで、各バンドグループにおいて、同じバンドグループ内のチャネルは、ＴＦＣによって分けられているが、ホッピングできる周波数帯が３つしかないため、必ず衝突する。
【０００８】
ＭＢＯＡの提案では、この衝突による信号劣化を最小に抑えるため、同じデータを２回送るタイムスプレディング（Ｔｉｍｅ  Ｓｐｒｅａｄｉｎｇ；以後「ＴＳ」と称する）と呼ばれる手法を用いている。
【０００９】
図１１では、各チャネルのデータシンボルにおいて、同じ番号が付されているものは同じデータであることを示している。図１１に示すように、チャネル１（ＣＨ１）、チャネル２（ＣＨ２）では、連続した２つの違う周波数のシンボルで同じデータを送り、チャネル３（ＣＨ３）、チャネル４（ＣＨ４）では、３つおきの２つの違う周波数のシンボルで同じデータを送っている。
【００１０】
【非特許文献１】http://www.multibandofdm.org/papers/MultiBand_OFDM_Physical_Layer_Proposal_for_IEEE_802.15.3a_Sept_04.pdf
【発明の開示】
【発明が解決しようとする課題】
【００１１】
ここで、ＴＦＣによるチャネル分けと隣接チャネルの干渉について説明する。
図１は、本発明が想定する無線通信のトポロジー図である。図１において、ＤＥＶ１及びＤＥＶ２は、チャネル１で無線通信を行う無線局（無線通信機）であり、ＤＥＶ３及びＤＥＶ４は、ＤＥＶ１及びＤＥＶ２と同じバンドグループのチャネル２で通信を行う無線局（無線通信機）である。
【００１２】
図１において、チャネル１で通信を行うＤＥＶ１からＤＥＶ２へデータを送信するタイミングで、チャネル２で通信を行うＤＥＶ３がＤＥＶ４へデータを送信すると、ＤＥＶ２ではＤＥＶ３からの通信が干渉信号として傍受されてしまう。特に、図１に示すように、ＤＥＶ２からの距離がＤＥＶ１に比べてＤＥＶ３の方が近い場合には、実際に通信したいデータ信号よりも干渉信号の方が大きくなる可能性が高い。
【００１３】
図２は、チャネル１で通信を行う自局の無線通信機において、干渉源である隣接チャネルがチャネル２で通信しているときの干渉を説明するための模式図である。図２において、ｆ１〜ｆ３は周波数ホッピングする中心周波数であり、縦軸は周波数を示し、横軸は時間を示している。四角で表現されているのはＯＦＤＭシンボル（信号）であり、白の太枠は受信したい自局のデータシンボルを示し、濃い灰色部分は干渉する隣接チャネルのデータシンボルを示している。
【００１４】
また、図２において、自局のチャネル（チャネル１）のデータシンボルで同一の番号が付されたデータシンボルは、同一のデータを伝送するＴＳを用いている場合を示している。この際、自局のチャネル１の無線局と隣接チャネル２の無線局は同期していないため、受信したい自局のチャネル１の無線局と干渉源の隣接チャネル２の無線局とのＴＦＣのタイミングによって、干渉によるデータ喪失が起こる可能性が異なる。
【００１５】
特にＴＳを用いている場合、データシンボル［２］及び［３］のように、２回送信に係る一方のデータが隣接チャネルの干渉を受けても他方のデータが干渉を受けていなければ、干渉を受けていないデータのみを復調すればよい。
【００１６】
しかしながら、データシンボル［１］のように、ＴＳを用いていても、２回送信に係る両方のデータとも隣接チャネルの干渉を受ける場合がある。よって、この際、自局のチャネルの電界強度に比べて、隣接チャネルの電界強度が一定以上の大きさを持つ場合、データが喪失してしまう場合が生じる。
【００１７】
図３は、自局の無線通信機でＴＳを用いたデータを受信している場合において、自局のチャネルと干渉源である隣接チャネルとのチャネル別のデータ喪失の一例を示す模式図である。この図３においては、ＴＳの２回送信に係る２つのデータが同時に干渉を受けた場合には、必ずデータ喪失することを前提にデータ喪失のタイミングを示している。
【００１８】
図４は、図３に示す各チャネル別のデータ喪失する割合を示す模式図である。
図４に示すように、自局のチャネル（信号）が１か４の場合で干渉源がチャネル３の場合や、自局のチャネルが２か３の場合で干渉源がチャネル４の場合、ＴＳによる２回の受信データのうちの一方のデータが殆ど干渉信号によって喪失している状態となる。また、この場合、他方のデータも部分的に干渉を受ける。このため、データを復調できる可能性は極めて低い。
【００１９】
一方、干渉源である隣接チャネルがチャネル１または２の場合のデータの喪失は、ＴＳによる２回の受信データのうち、一方のデータが時間的に前の方で干渉を受けている場合、他方のデータは時間的に後方でのみ干渉を受けている。しかしながら、従来、この場合においても、ＴＳによる２回の受信データのうちの両方のデータが干渉を受けているため、データ喪失を回避できず、通信が困難となっていた。
【００２０】
本発明は、このような問題点に鑑みてなされたものであり、１データシンボルごとに周波数ホッピングを行うＯＦＤＭ信号を用いて通信を行う際に、他チャネルによる干渉がある場合であっても、通信が可能になる可能性を高くすることを目的とする。
【課題を解決するための手段】
【００２１】
上記課題を解決するために、本発明は、ＯＦＤＭ信号で同じデータシンボルを違う周波数または同じ周波数で別の時間に２回送る通信方式における無線通信機であって、前記２回の同じデータシンボルのＯＦＤＭ信号のうち、時間的に前の部分で干渉を受けている信号と時間的に後ろの部分で干渉を受けている信号とが得られた場合、これらの信号の干渉を受けていない部分を時間的に合成する合成手段と、前記合成手段で合成された信号をＦＦＴして復調する復調手段とを有することを特徴とする無線通信機等を提供する。
【発明の効果】
【００２２】
本発明によれば、１データシンボルごとに周波数ホッピングを行うＯＦＤＭ信号を用いて通信を行う際に、他チャネルによる干渉がある場合であっても、通信が可能になる可能性を高くすることができる。
【発明を実施するための最良の形態】
【００２３】
以下に、発明を実施するための最良の形態について、図面を参照して説明する。
【００２４】
図５は、本発明の実施形態に係る無線通信機１００のハードウエア構成の一例を示す模式図である。
図５に示すように、無線通信機１００は、ＣＰＵ１０１、ＲＡＭ１０２、ＲＯＭ１０３、外部メモリ１０４、表示装置１０５、操作入力装置１０６、通信インタフェース（以後「通信Ｉ／Ｆ」と称する）１０７、及び、バスを有して構成されている。
【００２５】
ＣＰＵ１０１は、無線通信機１００における動作を統括的に制御するものであり、バスを介して、無線通信機１００の各構成部（１０２〜１０７）を制御する。
【００２６】
ＲＡＭ１０２は、ＣＰＵ１０１の主メモリ、ワークエリア等として機能する。ＣＰＵ１０１は、処理の実行に際して、ＲＯＭ１０３から必要なプログラム１０３ａ等をＲＡＭ１０２にロードし、当該プログラム１０３ａ等を実行することで各種の機能動作を実現する。
【００２７】
ＲＯＭ１０３には、ＣＰＵ１０１が、本発明に係る無線通信機１００の処理を実行するために必要なプログラム１０３ａ等が記憶されている。なお、プログラム１０３ａは、外部メモリ１０４に記憶されていてもよい。
【００２８】
外部メモリ１０４には、例えば、ＣＰＵ１０１がプログラム１０３ａ等を用いた処理を行う際に必要な各種のデータや各種の情報が記憶されている。また、外部メモリ１０４には、例えば、ＣＰＵ１０１がプログラム１０３ａ等を用いた処理を行うことにより得られた各種のデータや各種の情報が記憶される。
【００２９】
表示装置１０５は、ＣＰＵ１０１の制御に基づいて、各種のデータや各種の情報の表示を行う。また、操作入力装置１０６は、操作者が無線通信機１００に対して情報の入力を行う際に操作されるものである。なお、表示装置１０５及び操作入力装置１０６は、必要に応じて、省略することが可能である。
【００３０】
通信Ｉ／Ｆ１０７は、外部装置（外部の無線通信機等）との通信を司るものである。また、バスは、ＣＰＵ１０１と、ＲＡＭ１０２、ＲＯＭ１０３、外部メモリ１０４、表示装置１０５、操作入力装置１０６及び通信Ｉ／Ｆ１０７とを通信可能に接続するためのものである。
【００３１】
図６は、本発明の実施形態を説明するための、マルチバンドＯＦＤＭ信号（受信信号）と隣接チャネルの干渉信号のＴＦＣの一例を示す模式図である。図６において、マルチバンドＯＦＤＭ信号の受信信号はチャネル１で通信され、隣接チャネルはチャネル２を使用して通信しているものとする。
【００３２】
図６に示す受信信号の同じ番号が付された信号（データシンボル）は、ＴＳを用いて同じデータが周波数を換えて伝送されていることを示している。図６において、データシンボル［２］及びデータシンボル［３］は、周波数ｆ３で干渉を受けないため、ＣＰＵ１０１は、周波数ｆ３の信号（データシンボル）を復調する。
【００３３】
データシンボル［１］は、周波数ｆ１において前半が干渉を受け、周波数ｆ２において後半が干渉を受ける。このため、ＣＰＵ１０１は、周波数ｆ１の後半の信号と周波数ｆ２の前半の信号を時間的に合成した後にＦＦＴすることによってデータシンボル［１］のデータを復調する。
【００３４】
図７は、マルチパスによる周波数特性、具体的に２つの伝搬路の合成波形の変化の一例を示す模式図である。
図７に示したように合成波形が小さくなるのは２つの伝搬路の搬送波が打ち消し合う場合であり、図７のｆ'１、ｆ'２のビートの周期の２倍が２つの伝搬路の伝搬遅延量に相当する。図７のｆ１〜３は、マルチバンドＯＦＤＭ信号において周波数ホッピングする中心周波数であり、それぞれの周波数帯で違う周波数補正をしなくてはならないことが分かる。
【００３５】
図８は、フリスの伝搬公式による減衰量の周波数依存性の一例を示す模式図である。このフリスの公式では、減衰量が周波数の２乗に反比例するため、ＵＷＢのように広帯域の場合、その影響を無視できない。
【００３６】
ＯＦＤＭ通信においては、図７、図８のような伝搬路の周波数特性は、プリアンブル等の既知信号における各サブキャリアの大きさと位相で補正される。
【００３７】
本発明においては、図６のデータシンボル［１］のように、違う周波数のデータを時間的に合成する必要がある。よって、ＣＰＵ１０１では、各バンドグループにおける各サブキャリアの大きさと位相の補正値から、各バンドグループにおけるフィルタを算出し、これを入力信号に時間的に掛け合わせ、その後、違う周波数のデータを時間的に合成する。
【００３８】
図９は、本発明の実施形態に係る無線通信機１００のＣＰＵ１０１において行われる処理に係る機能構成の一例を示す模式図である。
ＣＰＵ１０１は、図９に示すように、各バンドグループの伝搬路の周波数特性について各バンドグループの各サブキャリアの大きさと位相の補正値を逆ＦＦＴ部９０１で逆ＦＦＴし、時間軸に変換してＦＩＲのタップ係数にする。これにより、当該周波数特性は、ほぼ完全に補正できる。
【００３９】
図９において、Ｄは、シフトレジスタの各遅延ライン９０３であり、ａ１，ａ２，・・・はＦＩＲの各タップ係数９０２である。この場合、ＦＩＲフィルタは、１データシンボル分の時間のタップを必要とする。
【００４０】
よって、１データシンボル内の前の部分や後ろの部分で大きい干渉信号を受けた場合、ＦＩＲの遅延ライン上に、干渉信号もフィルタリングしたい信号と同様に蓄積される。この際、算出されたタップ係数９０２が乗算部９０４で掛けられてフィルタ出力されるので、演算部９０５において干渉信号成分は平均化されて全体に広がって加算されてしまう。
【００４１】
マルチバンドＯＦＤＭ信号において他チャネルの信号が干渉源であり、例えば干渉源のチャネルがチャネル１かチャネル２である場合、干渉を受けている２つの同じデータシンボルにおいて一方が時間的に前の部分で干渉を受ける。また、他方が時間的に後ろの部分で干渉を受け、ゼロプリフェクスの時間分だけ２つのデータシンボルの両方とも干渉を受けない。
【００４２】
そこで、本発明の実施形態では、周波数補正をするためのフィルタにおいてＦＩＲを途中で切るか、フィルタのタップ係数を変更し、フィルタのタップ遅延時間をゼロプリフェクス時間の２倍以内にする。これにより。２つのデータシンボルを時間合成した場合に、干渉信号の影響をあまり受けなくなる。
【００４３】
そこで、ＣＰＵ１０１は、２回の同じデータシンボルのＯＦＤＭ信号のうち、時間的に前の部分が干渉を受けている信号と時間的に後ろの部分が干渉を受けている信号が得られた場合、これらの信号の干渉を受けていない部分を時間的に合成する処理を行う。この合成処理を行うＣＰＵ１０１は、合成手段を構成する。そして、ＣＰＵ１０１は、合成した信号をＦＦＴして当該データシンボルのデータを復調する処理を行う。この復調処理を行うＣＰＵ１０１は、復調手段を構成する。
【００４４】
また、本実施形態では、マルチバンドＯＦＤＭ信号で同じデータシンボルを違う周波数または同じ周波数で別の時間に２回送る通信方式として、マルチバンドＯＦＤＭ通信におけるタイムスプレッディングを用いている。この際、無線通信機１００は、マルチバンドＯＦＤＭ通信による受信機を適用することができる。
【００４５】
一般に、ＯＦＤＭ信号は、信号強度がランダムに変化するため、干渉信号が合成されても検出し難い。しかしながら、例えば、マルチバンドＯＦＤＭ規格に則った信号の信号強度を前半と後半で比較すると、全データシンボルの信号強度の４５〜５５％にほとんど入っている。よって、干渉信号が大きくて正しい信号が受信できないような場合には、信号強度を検出可能である。
【００４６】
また、受信系において全チャネルのプリアンブルの相関器が同時に稼動していれば、隣接チャネルによる干渉は、プリアンブルの相関器によって検出できる。
【００４７】
また、本実施形態では、干渉源として隣接チャネルを適用し、当該干渉源が１データシンボルごとに周波数ホッピングする信号であることが判別できた場合のみ、ＣＰＵ１０１は、干渉を受けていない部分を時間的に合成した信号を用いてＦＦＴを行うようにする。
【００４８】
さらに、ＣＰＵ１０１は、２つの同じデータのＯＦＤＭ信号のそれぞれの周波数特性から算出した応答特性を時間軸上で補正した後に、２つのＯＦＤＭ信号を時間的に合成するようにする。また、マルチバンドＯＦＤＭ規格に則った信号でＴＳを行っている場合、２つの同じデータのＯＦＤＭ信号に係るデータシンボルが違う周波数で伝送される。これにより、２つのデータシンボルは、マルチパス特性により違う周波数特性を有する。
【００４９】
また、ＵＷＢのように周波数帯域が広い場合、図８におけるフリスの伝搬公式で示される周波数依存の減衰特性が無視できない。よって、ＣＰＵ１０１は、各バンドグループの伝搬路の周波数特性を既知信号の周波数特性の変化から検出し、検出した周波数特性の逆特性を有するフィルタを計算により求めて時間軸上で補正した後に、２つのＯＦＤＭ信号を時間的に合成する。
【００５０】
また、各データシンボルのＯＦＤＭ信号の周波数特性から算出した応答特性でマルチパス特性や周波数依存の減衰特性を時間軸上で補正する方法としては、例えば、既知信号の周波数特性から算出されたフィルタを用いる処理である。この際、フィルタのタップ遅延時間は、マルチパス補正のためのプレフェクス時間の２倍以内である。
【００５１】
また、ＣＰＵ１０１は、各バンドグループの伝搬路の周波数特性を既知信号の周波数特性の変化から検出し、検出した周波数特性の逆特性を有するフィルタを計算して求める。この際、ＦＩＲフィルタを構成する場合、通常検出された周波数特性の逆特性を逆ＦＦＴし、時間軸に変換してＦＩＲのタップ係数にする。
【００５２】
しかしながら、このように周波数特性の逆特性を逆ＦＦＴした場合、ＦＩＲのインパルス応答時間は１データシンボルになってしまう。この場合、１データシンボル内の時間的に前の部分や後の部分にまとまって干渉信号がある場合、干渉信号とＦＩＲの一部のタップ係数を掛けた値がフィルタリングされた信号の値に足されてしまう。
【００５３】
そこで、伝搬路の周波数特性を補正するフィルタのタップ遅延時間は、なるべく短い方がよいと判断できるため、本実施形態のＣＰＵ１０１では、当該タップ遅延時間をなるべく短くして処理を行う。
【００５４】
通常、ＯＦＤＭ通信においては、１データシンボルの後ろから１／４程度の長さの信号をデータシンボルの前につなげ、マルチパスがある伝搬環境下においても、前のデータシンボルの遅延波が次のデータシンボルに影響を与えないようにしている。このデータシンボルの前につなげた１データシンボルの後ろから１／４程度の長さの信号部分をサイクリックプレフィクスと呼んでいる。
【００５５】
マルチバンドＯＦＤＭ通信の場合、周波数ホッピングするため、周波数ホッピング直後のデータシンボルは、前のシンボルの遅延波の影響は受けない。また、マルチパスによって遅れてきた遅延波の影響で１データシンボル以上の長さになってしまう信号の遅延波部分については信号の最初の部分に足すことで、遅延波の影響をキャンセルすることができる。この無信号の時間をゼロプリフェクスと呼んでいる。
【００５６】
本発明の実施形態においては、ゼロプリフェクスの時間分だけ２つのデータシンボルの両方とも干渉を受けない。よって、周波数補正をするためのフィルタにおいては、タップ遅延時間がゼロプリフェクス時間の２倍以内になっていれば、２つのデータシンボルを時間的に合成した場合に干渉信号の影響をあまり受けない。
【００５７】
本実施形態によれば、１データシンボルごとに周波数ホッピングを行うＯＦＤＭ信号を用いて通信を行う際に、他チャネルによる干渉がある場合であっても、通信が可能になる可能性を高くすることができる。
【００５８】
（本発明の他の実施形態）
前述した本発明の実施形態に係る無線通信機１００において行われる処理は、コンピュータのＣＰＵ１０１がＲＯＭ１０３に記憶されたプログラム１０３ａを実行することによって実現できる。このプログラム及び前記プログラムを記録したコンピュータ読み取り可能な記録媒体は本発明に含まれる。
【００５９】
また、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【００６０】
なお、本発明は、前述した実施形態に係る無線通信機１００の機能を実現するソフトウェアのプログラム１０３ａを、システムあるいは装置に直接、あるいは遠隔から供給するものを含む。そして、そのシステムあるいは装置のコンピュータが前記供給されたプログラムコードを読み出して実行することによっても達成される場合も本発明に含まれる。
【００６１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６２】
その場合、プログラムの機能を有していれば、オブジェクトコード、インタプリタにより実行されるプログラム、ＯＳに供給するスクリプトデータ等の形態であってもよい。
【００６３】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００６４】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００６５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００６７】
また、コンピュータが、読み出したプログラムを実行することによって、前述した実施形態に係る無線通信機１００の機能が実現される。その他、そのプログラムの指示に基づき、コンピュータ上で稼動しているＯＳなどが、実際の処理の一部又は全部を行い、その処理によっても前述した実施形態に係る無線通信機１００の機能が実現され得る。
【００６８】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した前述した実施形態に係る無線通信機１００の機能が実現される。
【００６９】
なお、前述した各実施形態は、何れも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【図面の簡単な説明】
【００７０】
【図１】本発明が想定する無線通信のトポロジー図である。
【図２】チャネル１で通信を行う自局の無線通信機において、干渉源である隣接チャネルがチャネル２で通信しているときの干渉を説明するための模式図である。
【図３】自局の無線通信機でＴＳを用いたデータを受信している場合において、自局のチャネルと干渉源である隣接チャネルとのチャネル別のデータ喪失の一例を示す模式図である。
【図４】図３に示す各チャネル別のデータ喪失する割合を示す模式図である。
【図５】本発明の実施形態に係る無線通信機のハードウエア構成の一例を示す模式図である。
【図６】本発明の実施形態を説明するための、マルチバンドＯＦＤＭ信号（受信信号）と隣接チャネルの干渉信号のＴＦＣの一例を示す模式図である。
【図７】マルチパスによる周波数特性、具体的に２つの伝搬路の合成波形の変化の一例を示す模式図である。
【図８】フリスの伝搬公式による減衰量の周波数依存性の一例を示す模式図である。
【図９】本発明の実施形態に係る無線通信機のＣＰＵにおいて行われる処理に係る機能構成の一例を示す模式図である。
【図１０】ＭＢＯＡがＩＥＥＥ８０２．１５．３ａに２００４年７月に提出した提案書に示されたマルチバンドＯＦＤＭ方式のバンドプランを示す模式図である。
【図１１】同じバンドグループ内で各々が異なるホッピングパターンのＴＦＣによって区別されているチャネル番号ＣＨ１〜ＣＨ４のチャネルを示す図である。
【符号の説明】
【００７１】
１００  無線通信機
１０１  ＣＰＵ
１０２  ＲＡＭ
１０３  ＲＯＭ
１０４  外部メモリ
１０５  表示装置
１０６  操作入力装置
１０７  通信Ｉ／Ｆ（通信インタフェース）
【図１】
2010045438.tif 000003
【図２】
2010045438.tif 000004
【図３】
2010045438.tif 000005
【図４】
2010045438.tif 000006
【図５】
2010045438.tif 000007
【図６】
2010045438.tif 000008
【図７】
2010045438.tif 000009
【図８】
2010045438.tif 000010
【図９】
2010045438.tif 000011
【図１０】
2010045438.tif 000012
【図１１】
2010045438.tif 000013